(57)【要約】【課題】  送信者側が受信者の位置情報を得て、送信者が受信者の近くのプリンタを認識し、その情報を受信者に送る事により、受信者はその近くのプリンタを簡単に認識する事ができ、データ出力も簡単に行う事が出来るようなシステムを提案すること。【解決手段】  このデータ出力システムは、送信者が、受信者の位置を把握している、プリントセンタにデータを渡し、プリンタセンタは印刷装置の位置情報と、受信者の位置情報をあわせ、受信者付近の印刷装置の情報を、受信者に送信（連絡）を行う。受信者は、送られてきた付近の印刷装置の情報より、自分がプリントアウトしたい印刷装置を選択し、プリントセンタに送り返す。プリントセンタは、選択された印刷装置にデータを送る事により、印刷装置は印刷を始める。【選択図】  図３
2005173793.tif 000002
【特許請求の範囲】
【請求項１】
文書作成機能とデータ保存機能と通信機能とを有する携帯端末と、
データを端末から渡す人と（以下送信者）、データを紙で受け取りとる携帯端末保持者（以下受信者）とがいた際、
前記携帯端末の位置情報を監視する監視手段と、
前記印刷装置の位置に関する情報を記憶するデータベース（以下、プリントセンタ）と、
前記携帯端末の位置情報と、前記プリントセンタに記憶させてある印刷装置の位置情報により、携帯端末の近くの印刷装置情報を検出する手段と、
前記検出された印刷装置の情報を、携帯端末保持者に送信する手段と、
前記受信者が、印刷装置の情報から、印刷したい印刷装置を選択する手段と、
選択した印刷装置の情報をプリントセンタに送る手段と、
送信者がデータを送ろうとした際、プリントセンタにデータをスプールしておく手段と、
前記プリントセンタに選択された印刷装置の情報が来た際に、プリントセンタからデータを印刷装置に出力する手段と、
を備えたことを特徴とするデータ出力システム。
【請求項２】
前記請求項１のシステムにおいて、送信者がプリントセンタにデータを送信する際に、印刷するデータをプリントセンタ４送るのではなく、送信者が、受信者の個人情報（携帯端末の情報）をプリントセンタ送信する手段と、
受信者が印刷装置を選択し、プリンタセンタにその情報を送って来た際に、プリンタセンタから、送信者に印刷すべきデータの送信を行えと命令を行う手段と、
プリンタセンタから、受信者が選択した印刷装置に対し、データの送信を行う手段と、
を備えた前記記載のデータ出力システム。
【請求項３】
前記請求項１のシステムにおいて、プリントセンタが受信者に対し付近の印刷装置の情報を送信する際に、印刷するデータも同時に送る手段を
を備えた前記記載のデータ出力システム。
【請求項４】
請求項１〜２記載のシステムにおいて、プリンタセンタから受信者に対し、受信者付近の印刷装置のデータを渡す際に、暗号キーを受信者に送信する手段と、
受信者が印刷装置の選択を行い、プリンタセンタに選択した印刷装置の情報が来た際に、印刷するデータと同時に暗号キーを送信する手段と、
受信者は暗号キーを印刷装置に送信、又は暗号キーを印刷装置に入力を行う事により、印刷を開始できる手段と、
を備えた、前記記載のデータ出力システム。
【発明の詳細な説明】
【技術分野】
【０００１】
本発明は、送信者がプリントアウトして受信者に渡したいデータを持っていた際に、受信者に対しそのデータのスムーズな受け取りが出来るシステムに関する。
【背景技術】
【０００２】
最近では、計時機能、スケジューラ機能、文章作成機能、及び通信機能等の機能を備えた携帯端末（携帯電話、PDA、他モバイル端末）が普及している。その為、ユーザは、PCほどではないが、携帯端末にて様々な作業を行える様になっている。
【０００３】
特に最近は、通信機能の充実により、外部装置とのデータのやり取りや、各種の情報を提供するネットワークからの情報の提供等を受ける事も可能である。また、PHS機能を用いた場合は、自信の位置を更新登録する位置登録機能が備わっており、携帯端末の位置情報は監視されている。その他、GPS機能や位置を認識する技術も開発されており、携帯端末の位置情報が分るようになっている。
【０００４】
また、通常携帯端末はデータを印刷出力する印刷装置は装備しておらず、移動中や出先で作成した文章等の印刷出力を行おうとしても容易には行えないという課題があったが。携帯端末において作成された文書データを、ユーザが指定する印刷装置に文書データを転送して印刷出力を行う事の可能なデータ転送システムなどが提案されている。
【０００５】
印刷装置は、その場所や状態を管理しているプリンタサーバ等がたてられている事がある。そして、携帯端末のユーザが携帯端末からプリントを行う場合に、携帯端末の位置情報と、それらプリンタサーバ等にある、印刷装置の場所や状態情報とをあわせて、ユーザがどこの印刷装置から印刷を行うか選択し、プリントを行うという手段もある（特許文献１）。
【特許文献１】特開平１０−１９１４５３号公報
【発明の開示】
【発明が解決しようとする課題】
【０００６】
しかし、ある人（以下、送信者）がデータを他の人（以下、受信者）に紙でデータを渡したい場合に、送信者、受信者が離れた位置に居た場合がある。
【０００７】
その方法としてFAXという手段があるが、FAXの場合多くのデータを送信したい場合には不向きであるし、受信者が出したいFAXを選択できないという問題もあった。また、セキュリティーの面で機密を守りたいといった場合、FAXには時間指定という機能があり、その時間に受信者が、FAXの場所に行っていればよいが、それを実際行なうのは面倒である。
【０００８】
また、受信者の携帯端末にデータを送信し、受信者が携帯端末からプリントアウトを行う方法もあるが、印刷するデータが大きい場合、携帯端末のメモリでは入りきらなかったり、携帯端末では処理が遅かったりする事がある。
【０００９】
また、前述したユーザが携帯端末からプリンタサーバにアクセスし、ユーザの近くのプリンタ情報を得るという方法も携帯端末の種類によっては、出来ない事もある。
【００１０】
そこで本発明の課題は、送信者側が受信者の位置情報を得て、送信者が受信者の近くのプリンタを認識し、その情報を受信者に送る事により、受信者はその近くのプリンタを簡単に認識する事ができ、データ出力も簡単に行う事が出来るようなシステムを提案する事にある。また、セキュリティーも高めるようなシステムも提案する。
【課題を解決するための手段】
【００１１】
この請求項１記載の発明によれば、このデータ出力システムは、送信者が、受信者の位置を把握している、プリントセンタにデータを渡し、プリンタセンタは印刷装置の位置情報と、受信者の位置情報をあわせ、受信者付近の印刷装置の情報を、受信者に送信（連絡）を行う。受信者は、送られてきた付近の印刷装置の情報より、自分がプリントアウトしたい印刷装置を選択し、プリントセンタに送り返す。プリントセンタは、選択された印刷装置にデータを送る事により、印刷装置は印刷を始める。これにより、送信者は受信者に対し、簡単に紙でデータを渡す事が可能になる。
【００１２】
この請求項２記載の発明によれば、印刷装置がプリントアウトするデータを、送信者から印刷装置へ直接送信する事により、請求項１記載の手段より、プリントセンタ側へのデータ量の負担を減らす事が出来る。
【００１３】
この請求項３記載の発明によれば、プリンタセンタが受信者に対し、付近の印刷装置の情報と、印刷データの両方を送る事により、処理が複雑にならずに迅速にプリントアウトする事が出来る。
【００１４】
この請求項４記載の発明によれば、請求項１〜２記載のシステムにおいて、プリンタセンタから受信者に対し、受信者付近の印刷装置のデータを渡す際に、暗号キーを受信者に送信し、受信者が印刷装置の選択を行い、プリンタセンタに選択した印刷装置の情報が来た際に、選択された印刷装置に対し印刷するデータと同時に暗号キーを送信する。
【００１５】
受信者は、印刷を行いたい時に、暗号キーを印刷装置に送信、又は直接印刷装置に暗号キーを入力する事により、印刷が行える事とする。
【００１６】
暗号キーを使用する事で。印刷装置は、受信者を２重に特定する事が出来、セキュリティーを保つ事が出来る。
【発明の効果】
【００１７】
請求項１〜３記載の発明によれば、このデータ出力システムにより、送信者がデータを紙で渡したい場合、受信者が自分の付近の印刷装置を認識し、選択を行う事により、安易に紙のデータとして、渡す事が出来る。
【００１８】
請求項４記載の発明によれば、請求項１〜２記載のデータ出力システムに、受信者に対し暗号キーを送り、受信者から受信者が印刷したい印刷装置に暗号キーを送り、また、プリントセンタから、受信者が選択した印刷装置に対し暗号キーを送る事により、印刷装置は、受信者から来た暗号キーと、プリントセンタから来た暗号キーを比較し、それが等しければ、印刷を行い。異なれば印刷をしない事とする。これにより、セキュリティーが守られる事が出来た。
【発明を実施するための最良の形態】
【００１９】
以下、図を参照しつつ本発明に係わるデータ出力システムの実施形態の詳細を説明する。
【００２０】
本件、第１の実施の構成について説明する。
【００２１】
図１は、本件第１の実施の形態に係わるデータ出力システム全体の概略構成を記載したブロック図である。
【００２２】
本実施の形態に係わるデータ出力システムは、１．携帯端末（受信者）、２．無線基地局、３．携帯端末センタ、４．サービスセンタ、５．ネットワーク、６．印刷装置、７．端末（送信者）などからなる。
【００２３】
携帯端末１は、キー入力やペン入力により、データの入力および、作成が可能な文章作成機能、時計機能、スケジューラ等の個人データの管理、プログラムを実行出来る機能や、通信機能（PHS等）、位置情報等を備えた、ユーザが形態する小型の携帯端末である。
【００２４】
無線基地局２は、携帯端末からの電波を受信するために多数設置されたものである。
【００２５】
携帯端末センタ３は無線基地局２の親局となる、携帯端末サービス制御局で、携帯端末１からの位置情報の監視を行ったり、携帯端末自身に位置情報を監視する機能がなければ、位置登録の機能により、携帯端末１の位置情報を監視し、また、地域に分散されている、無線基地局２を解して、携帯端末１からの受信データをプリントセンタ４に送信、あるいはプリントセンタ４からのデータを携帯端末１へ送信する。また、ネットワーク経由でプリントセンタ４との通信を行っても良い。
【００２６】
プリントセンタ４は、地域に点在する印刷出力を行う印刷装置６に関する情報のデータベース１６を備え、送信者７から受信者１に印刷データを送る際に、受信者１の位置を携帯端末センタ３に問い合わせ、得た受信者１の位置情報と、プリントセンタ４に持っている、印刷装置６の位置情報を併せて、受信者１近くの印刷装置６の情報を作り出す事が出来る。（プリントセンタの詳細は後述図２で述べる）
印刷装置６は、地域に設置されている印刷装置である。また、プリントセンタ４の機能を保持しても良い。また、プリントセンタ４と機能を分配し、ネットワークを通じ通信しあっても良い。
【００２７】
図２は、本実施形態に係わる、データ出力システムの構成要素の一つである、プリントセンタ４の概略を記載したブロック図である。
【００２８】
プリントセンタ４は、通信ユニット１１、CPU１２、RAM１３、ROM１４、記憶媒体１５、データベース１６などから構成されている。
【００２９】
通信ユニット１１は、携帯端末１から携帯端末センタ３を経て、または、携帯端末センタ３から送信されるデータ、及び携帯端末１の位置情報のデータを受信し、受信したデータを情報処理装置１７に入力する。
【００３０】
情報処理装置１７は、内部にCPU１２、RAM１３、ROM１４、記憶媒体１７等から構成されており、これらの装置はバス１８を介し相互に接続されている。
【００３１】
CPU１２は、記憶装置はROM１４や、記憶媒体１５に記憶されているプログラム及び、当該システムプログラムに対応する各種アプリケーションプログラムの中から指定されたアプリケーションプログラムを実行し、通信ユニット１１からのデータの処理を行う。
【００３２】
RAM１３は、CPU１２により演算処理されるプログラムや通信ユニット１１からの出力データなどを一時的に記憶する、記憶領域からなり、記憶された各種プログラムやデータなどの読み出しも行われる。また、記憶された各種プログラムコードに従い、データベース１６から検索抽出したデータ、等が一時的に記憶される。
【００３３】
ROM１４、記憶媒体１５には、プログラムやデータ等が記憶される。この記憶媒体１５には、システムプログラム及び当該システムプログラムに対する各種アプリケーションプログラム、通信処理、入力処理、データ処理等のプログラムを有する。
【００３４】
また、記憶媒体１５は、処理されたデータ等を記憶する。
【００３５】
なお、この記憶媒体１５に記録するプログラム、データ等は、通信回線を介して接続された他の機器から受信して記憶する構成にしても良い。
【００３６】
また、通信回線等を介して接続されたほかの機器に上記記憶媒体を備えた記憶装置を設け、その記憶媒体に記憶されているプログラム、データ通信回線を使用する構成にしてもよい。
【００３７】
データベース１６は、プリントセンタ４が提供する印刷装置６の位置データや、地図情報を保持していいる。
【００３８】
次に、本実施の形態の作用について説明する。
【００３９】
図３は、送信者７が受信者１にデータを紙データとして渡す時の流れを、時系列的に記載した図である。
【００４０】
まず、受信者１の位置情報というのは、携帯端末センタ３によって管理されている。また、任意の時間に、受信者１の位置情報というのは、問い合わせを行う事が出来る。（ステップC１０）
携帯端末センタ３は、受信者１の位置情報をプリンタセンタ４から問い合わせがあった際に、プリンタセンタ４に送る。（ステップC４）
ユーザが携帯端末１の印刷したいデータとユーザの宛先情報を、プリントセンタ４に送信する。（ステップC１）宛先情報とは、受信者の携帯端末を認識できる情報であり、e-mailアドレス、携帯電話番号、携帯端末の固体情報等である。
【００４１】
プリントセンタ４は送信者７からのデータを受信し（ステップC２）、受信者１の位置情報と、受信者１の付近の印刷装置６を割り出す事が出来る。割り出し方法は、印刷装置６と受信者の距離がある一定以下の物を、付近の印刷装置６として出しても良いし、またある建物に入っている印刷装置６を出しても良いし、建物の同じフロアの印刷装置を出しても良い。ユーザにどのように印刷装置６を割り出すか選択させるようにしても良い。（ステップC3）詳しくは後述する。
【００４２】
その後、プリントセンタ４が割り出した印刷装置６の情報を、プリンタセンタ４から受信者１に送信を行う。（ステップC５）
受信者１は、送られてきた印刷装置６の情報から、自分が印刷を行いたい印刷装置６の選択を行う。そして、その情報をプリンタセンタ４に返す。（ステップC６）
プリンタセンタ４は、指定された印刷装置に送信者７からプリンタセンタ４に送信されてきていた、印刷データを送信する。（ステップC7）
選択された印刷装置６は、プリンタセンタ４からの印刷データを受け（ステップC８）、印印刷を行う。（ステップC９）
次に、図４にて受信者１がどのように、印刷装置６の選択を行うかの一例を述べる。
【００４３】
受信者１の携帯端末上でアプリケーションを走らせる事が出来る場合、携帯端末に図４の様な問い合わせの画面を出すようにする。
【００４４】
主な情報としては、場所、距離、印刷装置６の状態、印刷装置７のパフォーマンス（モノクロ／カラー、何ppm）という物を出すようにする。
ユーザはそのうちの、一つを選択し送信を行うようにする。
【００４５】
又、携帯端末上でアプリケーションを走らせられない場合には、プリンタセンタ４に電話のオペレータを置き、受信者１に電話で問い合わせを行っても良い。その他方法で受信者１に問い合わせを行っても良い。
【００４６】
次に、図５にてプリントセンタ４の印刷装置６の管理方法と、受信者へ送る、印刷装置の情報の作成方法を述べる。
【００４７】
プリントセンタ４のデータベースでは、印刷装置６の情報を図5（a）のように持っている。情報としては、印刷装置名、機能、場所、状態である。もし場所に、ビル名、ビルのフロア名、ビルの何階であるかの指定等の付加情報があった場合には、それも指定出来るようにしておく。
【００４８】
図5（b）にて、受信者への問い合わせがあった際の、プリントセンタ４の動作を説明する。
【００４９】
プリントセンタ４は、受信者１の位置情報により、受信者１から距離の近い順に印刷装置６をピックアップして、図5（ｂ）の様なデータの作成を行う。その他には、ビル名、ビルのフロア名、ビルの階数等でも印刷装置6のピックアップを行ってもよい。
【００５０】
そして、作成したデータの中から、受信者１からの距離が近い順に印刷装置６の情報を、送る。送る印刷装置６の数は、送信者７、受信者１、プリンタセンタ４のいずれでも設定出来るようにして置く。
【００５１】
以上のように、第一の実施形態において、送信者７が紙で受信者１にデータを送りたい場合に、受信者１が自分の付近の印刷装置６を選択する事により、簡単に紙でデータを出力する事が出来る。
【００５２】
次に、本件第2の実施の構成について説明する。
【００５３】
図６は本件第２の実施形態を、時系列的に記載した図である。
【００５４】
第2の実施の構成は、第１の実施の構成と以下の部分のみが異なる事とする。
【００５５】
送信者７が、受信者１に印刷するデータを送る際、初めに受信者１のデータ（携帯端末情報（携帯電話番号、e-mailアドレス、携帯端末固体情報））を送信する。（ステップD１）
その情報に基づき、ステップD２〜D６を行う。
【００５６】
その後、受信者１からプリントアウトを行う、印刷装置６が選択してきたら、プリントセンタ４から、選択された印刷装置の情報の送信を行う。（ステップD７）
送信者７は、プリンタセンタ４から、受信者１が選択した印刷装置６の情報を受信したら。（ステップ８）そして、受信者１が選択した印刷装置６に対し、印刷を行うデータを送信する。（ステップD９）
これにより、プリントセンタ４は印刷データをスプールする必要がなくなり、付加を軽くする事が出来る。
【００５７】
次に、本件第3の実施の構成について説明する。
【００５８】
図７は本件第３の実施形態を、時系列的に記載した図である。
【００５９】
第３の実施の構成は、第１の実施の構成と以下の部分のみが異なる事とする。
【００６０】
プリントセンタ４が、受信者１に対し、受信者１付近の印刷装置６の情報を送る際に、印刷するデータも同時に送信を行う。（ステップE３）
受信者１は、プリントアウトする印刷装置の情報、印刷データを受信（ステップE５）し、印刷装置を選択した際に、印刷装置にデータの送信を行う（ステップE６）。
【００６１】
これにより、受信者１の方に送ってしまう事により、データのやり取りが複雑にならなくてすむ。
【００６２】
次に、本件第４の実施の構成について説明する。
【００６３】
図８は本件第４の実施形態を、時系列的に記載した図である。
【００６４】
第４の実施の構成は、第１、２の実施の構成と以下の部分のみが異なる事とする。
【００６５】
プリントセンタ４は、受信者１に対し受信者１付近の印刷装置６の情報を送る時に、暗号キーも同じく送る（ステップF３）暗号キーは、文字の並びでも何でも良い。
【００６６】
また、プリントセンタ４は受信者１が印刷装置６を指定して来た際、画像データを送るのとい同時に、選択された印刷装置６に対し、前記受信者１に渡した暗号キーを渡す。（ステップF７）
受信者１は、暗号キーを指定した印刷装置６に送信するか、直接入力を行う。（ステップF１１）、プリンタセンタ４と受信者１から送られてきた暗号キーが等しければ、印刷を行う。（ステップF９）
これにより、受信者１が暗号キーを印刷装置６に入れたときだけ、印刷を行うので、セキュリティーが守られる。
【図面の簡単な説明】
【００６７】
【図１】本実施形態１に係わる、データ出力システムの全体の構成を示した図である。
【図２】本実施形態のプリントセンタの、構成を示した図である。
【図３】本実施形態１の、処理の流れを時系列的に示した図である。
【図４】本実施形態１の、受信者がどのように印刷装置を選択するかを示した図である。
【図５】本実施形態のプリントセンタの、データベースの中身を示した図である。
【図６】本実施形態２の、データ出力システムの全体の構成を示した図である。
【図７】本実施形態３の、データ出力システムの全体の構成を示した図である。
【図８】本実施形態４の、データ出力システムの全体の構成を示した図である。
【符号の説明】
【００６８】
１  携帯端末（受信者）
２  携帯基地局
３  携帯端末センタ
４  プリントセンタ
５  ネットワーク
６  印刷装置
７  端末（送信者）
１１  通信ユニット
１２  CPU
１３  RAM
１４  ROM
１５  記憶媒体
１６  データベース
１７  情報処理装置
１８  バス
【図１】
2005173793.tif 000003
【図２】
2005173793.tif 000004
【図３】
2005173793.tif 000005
【図４】
2005173793.tif 000006
【図５】
2005173793.tif 000007
【図６】
2005173793.tif 000008
【図７】
2005173793.tif 000009
【図８】
2005173793.tif 000010